(57)【要約】【課題】高周波の不要波抑圧の性能を低下させることなく、しかも小型の高周波装置を提供する。【解決手段】高周波装置の一例は、高周波信号の所定周波数成分を除去し、内部導体とこれを囲む外部導体とを有する構造の出力端子を持つ高周波フィルタと、この高周波フィルタの出力端子に一端を接続される同軸コネクタと、前記高周波フィルタ及び前記同軸コネクタの一部を内蔵し、前記同軸コネクタの他端を外部に露出させたケースと、を有する。【選択図】図１
2013081123.tif 000002
【特許請求の範囲】
【請求項１】
高周波信号の所定周波数成分を除去し、内部導体とこれを囲む外部導体とを有する構造の出力端子を持つ高周波フィルタと、
この高周波フィルタの出力端子に一端を接続される同軸コネクタと、
前記高周波フィルタ及び前記同軸コネクタの一部を内蔵し、前記同軸コネクタの他端を外部に露出させたケースと、
を有することを特徴とする高周波装置。
【請求項２】
前記高周波フィルタの出力端子は、前記同軸コネクタと兼用としたことを特徴とする請求項１記載の高周波装置。
【請求項３】
前記高周波フィルタの出力端子は、同軸ケーブルであることを特徴とする請求項１記載の高周波装置。
【請求項４】
前記高周波フィルタの入力端子は、電力増幅器の出力端子にマイクロストリップ線路により接続されてなることを特徴とする請求項１ないし３のいずれかに記載の高周波装置。
【請求項５】
前記高周波フィルタの入力端子は、電力増幅器の出力端子に同軸コネクタにより接続されてなることを特徴とする請求項１ないし３のいずれかに記載の高周波装置。
【請求項６】
高周波信号の電力を増幅する電力増幅器と、
この電力増幅器により増幅された高周波信号の所定周波数成分を除去し、内部導体とこれを囲む外部導体とを有する構造の出力端子を持つ高周波フィルタと、
この高周波フィルタの出力端子に一端を接続される同軸コネクタと、
前記電力増幅器、前記高周波フィルタ及び前記同軸コネクタの一部を内蔵し、貫通孔により前記同軸コネクタの他端を外部に露出させたケースと、
を有することを特徴とする高周波装置。
【請求項７】
前記高周波フィルタの出力端子は、前記同軸コネクタと兼用としたことを特徴とする請求項６記載の高周波装置。
【請求項８】
前記高周波フィルタの出力端子は、同軸ケーブルであることを特徴とする請求項６記載の高周波装置。
【請求項９】
前記高周波フィルタの入力端子は、電力増幅器の出力端子にマイクロストリップ線路により接続されてなることを特徴とする請求項６ないし８のいずれかに記載の高周波装置。
【請求項１０】
前記高周波フィルタの入力端子は、電力増幅器の出力端子に同軸コネクタにより接続されてなることを特徴とする請求項６ないし８のいずれかに記載の高周波装置。
【発明の詳細な説明】
【技術分野】
【０００１】
本発明の実施形態は、高周波フィルタを有する高周波装置に関する。
【背景技術】
【０００２】
高周波の送受信モジュールや高周波増幅器では、送信ＲＦ信号を増幅した際に発生する不要波を抑圧するために、それらの出力側にフィルタを設ける。
【０００３】
従来の送受信モジュールの高周波フィルタの実装構造の一例を図６に示す。送信ＲＦ信号はフィルタの入力側に設けられる電力増幅器により送信に必要な電力にまで増幅される。この際、増幅器の非線形動作により出力される送信ＲＦ信号に高調波の不要波が含まれてしまう。そこで、この送受信モジュール６０では、通常、電力増幅器の出力側と送受信モジュールの出力側（同軸ケーブル）との間に高周波フィルタ６１を挿入して不要波を抑圧している。
【０００４】
しかし、図６に示す従来例では、高周波フィルタ６１により高周波の不要波を抑圧できるが、この高周波フィルタ６１の入力端子６１ａと出力端子６１ｂとの間に、このフィルタを介さない空間による伝搬経路ができる。したがって、この伝搬経路によって不要波が送受信モジュールの出力側に現れ、不要波の抑圧能力が低下してしまう。この空間による不要波の伝搬をなくするためには、高周波フィルタ６１の出力側のシールド性能を強化する必要があり、これが送受信モジュールケースの構造を複雑かつ大型にする一因となっていた。
【０００５】
従来の送受信モジュールにおける高周波フィルタの実装構造の他の例を、図７に示す。この例では、高周波フィルタ７１の入力端子７１ａ及び出力端子７１ｂを同軸コネクタにより構成したものである。この構造では、コネクタやケーブルの同軸線路が外部導体によりシールドされる。したがって、空間による伝搬経路は形成されず、高周波フィルタ本来の不要波抑圧性能を発揮することが可能である。反面、同軸コネクタによる接続する箇所が増えることになり、送受信モジュールが大型化し送信ＲＦ信号の損失が増加するという問題があった。
【先行技術文献】
【特許文献】
【０００６】
【特許文献１】特開２０００−１２４７０４号公報
【発明の概要】
【発明が解決しようとする課題】
【０００７】
本発明は、高周波の不要波抑圧の性能を低下させることなく、しかも小型の高周波装置を提供する。
【課題を解決するための手段】
【０００８】
一実施形態によれば、高周波信号の所定周波数成分を除去し、内部導体とこれを囲む外部導体とを有する構造の出力端子を持つ高周波フィルタと、この高周波フィルタの出力端子に一端を接続される同軸コネクタと、前記高周波フィルタ及び前記同軸コネクタの一部を内蔵し、前記同軸コネクタの他端を外部に露出させたケースと、を有することを特徴とする高周波装置提供する。
【図面の簡単な説明】
【０００９】
【図１】高周波装置の第１の実施形態の構造を示す図である。
【図２】高周波装置の第１の実施形態の製造方法を示す図である。
【図３】高周波装置の第２の実施形態の構造を示す図である。
【図４】高周波装置の第２の実施形態の製造方法を示す図である。
【図５】高周波装置の第３の実施形態の構造を示す図である。
【図６】高周波装置の従来の一例の構造を示す図である。
【図７】高周波装置の従来の一例の構造を示す図である。
【発明を実施するための形態】
【００１０】
以下、実施形態について図面を用いて説明する。
【００１１】
＜第１の実施形態＞
この第１の実施形態の高周波装置の構造を図１に示す。高周波装置は送受信モジュール１０でありこれは、例えば金属製のケース１１と、このケース１１内に設置された電力増幅器１２と、マイクロストリップ線路１３によりこの電力増幅器１２の出力端子に接続された高周波フィルタ１４と、この高周波フィルタ１４の出力端子に接続された送受信モジュール１０の出力端子１５とを備える。高周波フィルタ１４は直方体形状をしており、所定の高周波周波数成分を除去する機能を有する。
【００１２】
送受信モジュール１０の出力端子は同軸コネクタ１５により構成されており、ケース１１の出力部分を切り欠いた部分に高周波フィルタ１４の出力端子を突出させて構成される。同軸コネクタは、内部導体とその外側にこの内部導体を取り囲むように設けられる外導体から成る構造を有している。
【００１３】
この送受信モジュール１０の出力端子部分の構成方法を図２により説明する。まず、ケース１１の出力部分の板を切り欠いて凹部２１を作る。電力増幅器１２を接続された高周波フィルタ１４の出力側部分とその出力端子である同軸コネクタとを、凹部２１に当設する。２２は、高周波フィルタ１４の出力端子である同軸コネクタであり、これはネジ２３により、高周波フィルタ１４に留められる。
【００１４】
この同軸コネクタ２２に相当する部分に孔のあいた、凹部２１より大きい大きさの出力板２４を凹部２１の外側から当てて、その四隅をネジ２５でケース１１に固定する。
【００１５】
この後、上記凹部を塞ぐように側板２６をケース１１に当てて、ネジ２７により固定し封止する。このようにして、送受信モジュール１０が構成される。
【００１６】
この第１実施形態においては、高周波フィルタ１４の出力側は同軸コネクタの構造になっている。したがって、この同軸コネクタの外部導体により、電力増幅器１２の出力側からの不要な高周波信号が高周波フィルタ１４の出力に侵入することを防ぐことができる。
【００１７】
またこの実施形態では、高周波フィルタ１４の出力側である同軸コネクタは、そのまま送受信モジュール１０の出力端子である同軸コネクタである。したがって、高周波フィルタの出力端子と送受信モジュールの出力端子を兼用することができ、両方を同軸コネクタにするよりも損失を少なくすることができると共に、より小型にすることが可能となる。
【００１８】
＜第２の実施形態＞
上記第１の実施形態では、高周波フィルタの出力端子をそのまま、同軸コネクタ構造としていた。しかし、高周波フィルタの出力端子を同軸ケーブル構造とすることもできる。このような第２の実施形態を図３に示す。送受信モジュール３０は、ケース３１と、このケース３１内に設置された電力増幅器３２と、この電力増幅器３２の出力端子であるマイクロストリップ線路３３により接続された高周波フィルタ３４と、この高周波フィルタ３４の出力端子である同軸ケーブル３４ｃに接続された送受信モジュール３０の同軸コネクタ３５とを備える。この同軸ケーブル３４ｃは、内部導体とその外側にこの内部導体を取り囲むように設けられる外部導体から成る構造を有している。
【００１９】
高周波フィルタ３４は第１の実施形態と同様に直方体形状をしており、その入力端子は、マイクロストリップ線路３３により、電力増幅器３２の出力端子に接続されているが、高周波フィルタ３４の出力端子は同軸ケーブル３４ｃとなっており、この同軸ケーブル３４ｃが、送受信モジュール３０の同軸コネクタ３５に接続される。
【００２０】
この送受信モジュール３０の、特に出力端子のあたりの構成の方法を、図４を用いて説明する。まず、図４（ａ）に示すように、高周波フィルタ３４の出力端子の同軸ケーブル３４ｃを横から挿入できように、送受信モジュール３０の出力側の板に切り込み４１を入れる。この切り込み４１に同軸ケーブル３４ｃを挿入する。次に図４（ｂ）に示すような、切り込みを入れた同軸ケーブル３４ｃを入れる止め板４２を作成する。次に図４（ｃ）に示すように、同軸ケーブル２４ｃを送受信モジュール３０の出力側の板の切り込み４１の外側から入れて、この止め板４２をネジ４３により送受信モジュール３０の出力側の板に固定する。
【００２１】
次に図４（ｄ）に示すように、その外側に同軸コネクタ２５を当てて、送受信モジュール３０の出力側の板に固定する。同軸コネクタ３５と同軸ケーブル３４ｃは、中心導体と外部導体が各々電気的に接続される。
【００２２】
この実施形態では、高周波フィルタの出力側の同軸ケーブルはいわゆるセミリジッド構造のものであってもよい。
【００２３】
この実施形態において、高周波フィルタ３４の出力側が同軸ケーブル構造となっている。したがって、電力増幅器の出力側からの不要波の高周波信号は空中に出たとしても、高周波フィルタの出力側に直接、伝搬することはない。なぜなら、同軸ケーブル３４ｃの外部導体により、電力増幅器３２の出力側からの不要な高周波信号が高周波フィルタ３４の出力に侵入することを防ぐことができるからである。
【００２４】
またこの第２の実施形態では、高周波フィルタの出力側が同軸ケーブル３４ｃになっており、同軸ケーブルはある程度柔軟性を有する。したがって、送受信モジュール３０の出力端子の同軸コネクタ３５を設ける位置が、高周波フィルタ３４の出力端子の位置と一致しない場合にもこの実施形態は適用可能であり、装置の柔軟性に富む。
【００２５】
ところで、上記第１、第２の実施形態では、高周フィルタの入力端子と、その前段の電力増幅器の出力端子とは、マイクロストリップ線路により接続されていた。しかし、この間を同軸コネクタにより接続してもよい。
【００２６】
＜第３の実施形態＞
高周波フィルタの入力端子を同軸コネクタより前段と接続し、この出力端子を同軸ケーブルとした構成の第３の実施形態の構成例を図５に示す。
【００２７】
送受信モジュール５０は、ケース５１と、このケース５１内に設置された電力増幅器５２と、この電力増幅器５２の出力端子である同軸コネクタ５３により接続された高周波フィルタ５４と、この高周波フィルタ５４の出力端子である同軸ケーブル５４ｃに接続された送受信モジュール５０の同軸コネクタ５５とを備える。
【００２８】
高周波フィルタ５４は第１の実施形態と同様に直方体形状をしており、その入力端子は、同軸コネクタ５３により、電力増幅器５２の出力端子に接続されているが、高周波フィルタ５４の出力端子は同軸ケーブル５４ｃとなっており、この同軸ケーブル５４ｃが、送受信モジュール５０の同軸コネクタ５５に接続される。
【００２９】
この第３の実施形態においては、高周波フィルタ５４の出力端子が同軸ケーブル５４ｃになっており、高周波フィルタ５４の入力側からこの出力側への不要波の空気伝搬を防止することができる。更にこの実施形態においては、高周波フィルタ５４の入力端子は同軸コネクタ５３により構成されているので、電力増幅器５２の出力端子からの不要波の放射自体を低減することが可能であり、上記第１、第２の実施形態よりもさらに不要波の抑圧性能を向上することが可能となる利点がある。
【００３０】
上記第１の実施形態においても、高周波フィルタの入力端子を同軸コネクタの構造にすることが可能である。
【００３１】
＜その他の変形例＞
上記第１、第２、第３の実施形態では、送受信モジュールに適用した場合について説明した。しかし、本発明はこのような高周波フィルタを用いる送受信モジュールだけに限られず、高周波フィルタを用いる高周増幅器にも適用でき、一般的には、高周波フィルタを有する高周波装置に適用可能である。
【００３２】
以上、いくつかの実施形態について説明したがこれらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３３】
１０、３０、５０・・・・送受信モジュール、
１１、３１、５１・・・・ケース、
１２、３２、５２・・・・電力増幅器、
１３、３３・・・・マイクロストリップ線路、
１４、３４、５４・・・・高周波フィルタ、
１５、３５、５３、５５・・・・同軸コネクタ、
２１・・・・凹部、
２２、３４ｃ、５４ｃ・・・・・同軸ケーブル、
２３、２５、２７、４３・・・・ネジ、
２４・・・・出力板、
４２・・・・止め板。
【図１】
2013081123.tif 000003
【図２】
2013081123.tif 000004
【図３】
2013081123.tif 000005
【図４】
2013081123.tif 000006
【図５】
2013081123.tif 000007
【図６】
2013081123.tif 000008
【図７】
2013081123.tif 000009